(57)【要約】【課題】空調用設備を梱包する作業負担を軽減させることが可能な梱包部材および梱包方法を提供する。【解決手段】  室外ユニット１を梱包する梱包部材１０であって、前面部材３０、背面部材４０、右側面部材５０および左側面部材６０を備えている。前面部材３０は、室外ユニット１の前面を覆う前面側側面部３２と、室外ユニット１の前面側天面を覆う前面側天面部３１と、が一体化して構成されている。背面部材４０は、室外ユニット１の背面を覆う背面側側面部４２と、室外ユニット１の背面側天面を覆う背面側天面部４１と、が一体化して構成されている。右側面部材５０は、室外ユニット１の右側側面を覆っている。左側面部材６０は、室外ユニット１の左側側面を覆っている。【選択図】図４
2011031897.tif 000002
【特許請求の範囲】
【請求項１】
空調用設備（１）を梱包する梱包部材（１０）であって、
前記空調用設備（１）の側面の一部を覆う側面部（３２、４２）と、前記側面部（３２、４２）と一体に設けられ前記空調用設備（１）の天面の少なくとも一部を覆う天面部（３１、４１）と、を有する天面側面一体部材（３０、４０）と、
前記天面側面一体部材（３０、４０）とは別体であり、前記空調用設備（１）の側面のうち前記側面部（３２、４２）が覆う部分以外の側面の少なくとも一部を覆う側面部材（５０、６０）と、
を備えた梱包部材（１０）。
【請求項２】
前記天面側面一体部材（３０、４０）は、前記天面部（３１、４１）である第１天面部（３１）と前記側面部（３２、４２）である第１側面部（３２）とが一体に設けられた第１天面側面一体部材（３０）、および、前記天面部（３１、４１）である第２天面部（４１）と前記側面部（３２、４２）である第２側面部（４２）とが一体に設けられた第２天面側面一体部材（４０）と、を有しており、
前記第１側面部（３２）と前記第２側面部（４２）とは、互いに向かい合うように前記空調用設備（１）を覆う、
請求項１に記載の梱包部材（１０）。
【請求項３】
前記第１天面側面一体部材（３０）と前記第２天面側面一体部材（４０）とは、同一形状である、
請求項２に記載の梱包部材（１０）。
【請求項４】
前記側面部材（５０、６０）は、互いに向かい合うようにして前記空調用設備（１）を覆う第１側面部材（５０）および第２側面部材（６０）を有しており、
前記第１側面部材（５０）と前記第２側面部材（６０）とは、同一形状である、
請求項３に記載の梱包部材（１０）。
【請求項５】
前記空調用設備（１）は、天面に凹凸形状を有しており、
前記空調用設備（１）の天面と前記天面部（３１、４１）との間に配置され、下面側が前記空調用設備（１）の天面の凹凸形状に沿った形状を有しており、上面が略水平方向に平坦な形状を有している天面介在部材（２０）をさらに備えた、
請求項１から４のいずれか１項に記載の梱包部材（１０）。
【請求項６】
前記天面側面一体部材（３０、４０）は、水平方向における端部から板厚方向に前記空調用設備（１）を挟み込むようにして延びた板状リブ（３３、３４、４３、４４）を有しており、
前記板状リブ（３３、３４、４３、４４）には、板厚方向に貫通した差し込み開口（３３Ｓ、３４Ｓ、４３Ｓ、４４Ｓ）が設けられており、
前記側面部材（５０、６０）は、水平方向における端部から板厚方向に延びており、前記板状リブ（３３、３４、４３、４４）の前記差し込み開口（３３Ｓ、３４Ｓ、４３Ｓ、４４Ｓ）に挿入される差し込みリブ（５２、５３、５４、５５、６２、６３、６４、６５）を有している、
請求項１から５のいずれか１項に記載の梱包部材（１０）。
【請求項７】
前記天面部（３１、４１）は、水平方向における端部から板厚方向下方に延びた天面リブ（３５、３６、４５、４６）を有しており、
前記天面リブ（３５、３６、４５、４６）の下端と、前記側面部材（５０、６０）の上端とが、近接して配置される、
請求項１から５のいずれか１項に記載の梱包部材（１０）。
【請求項８】
前記天面側面一体部材（３０、４０）と前記側面部材（５０、６０）とにまたがるように貼付されたテープ（７０）をさらに備え、
金属部材が用いられていない、
請求項１から７のいずれか１項に記載の梱包部材（１０）。
【請求項９】
前記側面部（３２、４２）と、前記天面部（３１、４１）と、は、折り曲がりやすい形状部分（３０ａ、４０ａ）を介して一体化されている、
請求項１から８のいずれか１項に記載の梱包部材（１０）。
【請求項１０】
略直方体形状であり、
前記略直方体形状の縦方向の長さと横方向の長さと高さ方向の長さとの合計長さが、３ｍ以上である、
請求項１から９のいずれか１項に記載の梱包部材（１０）。
【請求項１１】
空調用設備（１）を梱包する梱包方法であって、
前記空調用設備（１）の側面の一部を覆う側面部（３２、４２）と、前記側面部（３２、４２）と一体に設けられ前記空調用設備（１）の天面の少なくとも一部を覆う天面部（３１、４１）と、を有する天面側面一体部材（３０、４０）の、前記空調用設備（１）の天面に対する相対位置を定める第１ステップと、
前記天面側面一体部材（３０、４０）とは別体である側面部材（５０、６０）を用いて、前記空調用設備（１）の側面のうち前記側面部（３２、４２）が覆う部分以外の側面の少なくとも一部を覆う第２ステップと、
を備えた梱包方法。
【発明の詳細な説明】
【技術分野】
【０００１】
本発明は、梱包部材および梱包方法に関する。
【背景技術】
【０００２】
多くの場合、工場等で生産される製品は、工場等から出荷されてから納品先に納品されるまでの間、適当な梱包材により梱包され、保護される。例えば、特許文献１（特開２００５−９６８０３号公報）に開示されるダンボール製の梱包材は、製品の天面を覆う天面部材、製品の側面を覆う側面部材及び製品の底面を覆う底面部材等からなり、これら複数の組み立て部材が組み立てられることにより全体として略直方体形状の梱包材となる。
【０００３】
ところで、ビル用マルチタイプの空気調和装置の室外ユニット等の大型製品を梱包する梱包材は、梱包作業が大がかりになりがちなため、例えば、特許文献２（特開２００７−２４６１１８号公報）に記載された梱包材のように、複数の組み立て部材に分かれて構成されることが望ましい。
【発明の開示】
【発明が解決しようとする課題】
【０００４】
しかし、上述した特許文献２（特開２００７−２４６１１８号公報）に記載の梱包材では、空調室外機等の空調用設備の天面を覆う天面保護材を配置させた状態で、天面保護材に設けられたスリットに対して側面を覆う部材の差し込み突起を挿入させて梱包作業を行っている。この場合、差し込み突起をスリットに挿入させる作業は、空調用設備の上端近傍で行われるため、空調用設備が大型であるほど繁雑になりやすい。
【０００５】
本発明は上述した点に鑑みてなされたものであり、本発明の課題は、空調用設備を梱包する作業負担を軽減させることが可能な梱包部材および梱包方法を提供することにある。
【課題を解決するための手段】
【０００６】
第１発明の梱包部材は、空調用設備を梱包する梱包部材であって、天面側面一体部材および側面部材を備えている。天面側面一体部材は、空調用設備の側面の一部を覆う側面部と、側面部と一体に設けられ空調用設備の天面の少なくとも一部を覆う天面部と、を有している。側面部材は、天面側面一体部材とは別体であり、空調用設備の側面のうち側面部が覆う部分以外の側面の少なくとも一部を覆う。
【０００７】
この梱包部材は、天面側面一体部材は天面部が側面部と一体に設けられているため、天面を覆うように空調用設備に覆い被せて空調用設備に対する天面の相対位置を定めるだけで、天面部に一体に設けられた側面部の鉛直方向の位置についても定めることができる。これにより、側面部材を、空調用設備に対する位置が定まっている天面側面一体部材に組み合わせることができ、空調用設備の梱包作業負担を容易化させることが可能になる。また、従来の梱包部材と比べて、梱包に要する部品点数を削減させることが可能になる。
【０００８】
第２発明の梱包部材は、第１発明の梱包部材において、天面側面一体部材は、天面部である第１天面部と側面部である第１側面部とが一体に設けられた第１天面側面一体部材、および、天面部である第２天面部と側面部である第２側面部とが一体に設けられた第２天面側面一体部材と、を有している。第１側面部と第２側面部とは、互いに向かい合うように空調用設備を覆う。
【０００９】
この梱包部材は、空調用設備の一方側から第１天面一体梱包部を、他方側から第２天面一体梱包部を、それぞれ突き合わせるように組み合わせて空調用設備に対する天面の相対位置を定めることで、空調用設備の梱包作業負担を容易化させることが可能になる。
【００１０】
第３発明の梱包部材は、第２発明の梱包部材において、第１天面側面一体部材と第２天面側面一体部材とは、同一形状である。
【００１１】
この梱包部材では、第１天面一体梱包部と第２天面一体梱包部とを同一形状とすることで、組み立て間違いを生じにくくすることが可能になる。
【００１２】
第４発明の梱包部材は、第３発明の梱包部材において、側面部材は、互いに向かい合うようにして空調用設備を覆う第１側面部材および第２側面部材を有している。第１側面部材と第２側面部材とは、同一形状である。
【００１３】
この梱包部材は、第１側面部材および第２側面部材についても組み立て間違いを生じにくくすることが可能になる。
【００１４】
第５発明の梱包部材は、第１発明から第４発明のいずれかの梱包部材において、天面介在部材をさらに備えている。ここで、空調用設備は、天面に凹凸形状を有している。天面介在部材は、空調用設備の天面と天面部との間に配置され、下面側が空調用設備の天面の凹凸形状に沿った形状を有しており、上面が略水平方向に平坦な形状を有している。
【００１５】
この梱包部材は、空調用設備の天井面が平坦な形状でなく、凹凸を有している場合であっても、天面介在部材を空調用設備の天面上に配置させた状態で天面側面一体部材による梱包を行うことで、梱包時の天面側面一体部材の安定性を向上させることができる。
【００１６】
第６発明の梱包部材は、第１発明から第５発明のいずれかの梱包部材において、天面側面一体部材は、水平方向における端部から板厚方向に空調用設備を挟み込むようにして延びた板状リブを有している。板状リブには、板厚方向に貫通した差し込み開口が設けられている。側面部材は、水平方向における端部から板厚方向に延びており、板状リブの差し込み開口に挿入される差し込みリブを有している。
【００１７】
この梱包部材は、空調用設備に対する相対的な位置決めがなされた天面側面一体部材に対して、差し込み開口を介した差し込みリブの挿入動作を行うことで、側面部材を容易に所望の位置に配置させることができる。
【００１８】
第７発明の梱包部材は、第１発明から第５発明のいずれかの梱包部材において、天面部は、水平方向における端部から板厚方向下方に延びた天面リブを有している。天面リブの下端と、側面部材の上端とは、近接して配置される。
【００１９】
この梱包部材は、空調用設備を覆う際に、天面リブと側面部材とが重なる程度を少なくすることができ、梱包材料を削減させることができる。
【００２０】
第８発明の梱包部材は、第１発明から第７発明のいずれかの梱包部材において、天面側面一体部材と側面部材とにまたがるように貼付されたテープをさらに備えており、金属部材が用いられていない。
【００２１】
この梱包部材は、タッカー止めやボクサー止めを行うことなく、テープで固定することができるため、タッカー止めやボクサー止めによって生じる金属部材の突出部分の発生を回避することができる。
【００２２】
第９発明の梱包部材は、第１発明から第８発明のいずれかの梱包部材において、側面部と、天面部と、は、折り曲がりやすい形状部分を介して一体化されている。
【００２３】
この梱包部材は、側面部に対して天面部を折り曲げやすくなることで、梱包の作業負担をより軽減させることができる。
【００２４】
第１０発明の梱包部材は、第１発明から第９発明のいずれかの梱包部材において、略直方体形状であり、この略直方体形状の縦方向の長さと横方向の長さと高さ方向の長さとの合計長さは、３ｍ以上である。
【００２５】
この梱包部材は、大型の梱包対象を梱包する場合であっても、梱包の作業性を向上させることが可能になる。
【００２６】
第１１発明の梱包方法は、空調用設備を梱包する梱包方法であって、以下の各ステップを備えている。第１ステップでは、空調用設備の側面の一部を覆う側面部と、側面部と一体に設けられ空調用設備の天面の少なくとも一部を覆う天面部と、を有する天面側面一体部材の、空調用設備の天面に対する相対位置を定める。第２ステップでは、天面側面一体部材とは別体である側面部材を用いて、空調用設備の側面のうち側面部が覆う部分以外の側面の少なくとも一部を覆う。
【００２７】
この梱包方法は、天面側面一体部材は天面部が側面部と一体に設けられているため、天面を覆うように空調用設備に覆い被せて空調用設備に対する天面の相対位置を定めるだけで、天面部に一体に設けられた側面部の鉛直方向の位置についても定めることができる。これにより、側面部材を、空調用設備に対する位置が定まっている天面側面一体部材に組み合わせることができ、空調用設備の梱包作業負担を容易化させることが可能になる。また、従来の梱包部材と比べて、梱包に要する部品点数を削減させることが可能になる。
【発明の効果】
【００２８】
第１発明の梱包部材では、空調用設備の梱包作業負担を容易化させつつ、従来の梱包部材と比べて梱包に要する部品点数を削減させることが可能になる。
【００２９】
第２発明の梱包部材では、空調用設備の梱包作業負担を容易化させることが可能になる。
【００３０】
第３発明の梱包部材では、組み立て間違いを生じにくくすることが可能になる。
【００３１】
第４発明の梱包部材では、第１側面部材および第２側面部材についても組み立て間違いを生じにくくすることが可能になる。
【００３２】
第５発明の梱包部材では、梱包時の天面側面一体部材の安定性を向上させることができる。
【００３３】
第６発明の梱包部材では、側面部材を容易に所望の位置に配置させることができる。
【００３４】
第７発明の梱包部材では、梱包材料を削減させることができる。
【００３５】
第８発明の梱包部材では、タッカー止めやボクサー止めによって生じる金属部材の突出部分の発生を回避することができる。
【００３６】
第９発明の梱包部材では、梱包の作業負担をより軽減させることができる。
【００３７】
第１０発明の梱包部材では、大型の梱包対象を梱包する場合であっても、梱包の作業性を向上させることが可能になる。
【００３８】
第１１発明の梱包方法では、空調用設備の梱包作業負担を容易化させつつ、従来の梱包部材と比べて梱包に要する部品点数を削減させることが可能になる。
【図面の簡単な説明】
【００３９】
【図１】室外ユニットを正面左側上方から見た概略外観構成図。
【図２】本発明の一実施形態に係る室外ユニットを梱包した状態の梱包材を正面左側上方から見た外観斜視図。
【図３】本発明の一実施形態に係る室外ユニットを梱包した状態の梱包材を背面右側上方から見た外観斜視図。
【図４】正面左側上方から見た梱包剤の概略分解図。
【図５】前面部材および背面部材の展開図。
【図６】右側面部材および左側面部材の展開図。
【図７】変形例に係る前面背面天面一体部材の正面左側上方からみた概略斜視図。
【図８】変形例に係る背面天面一体部材と前面部材を正面左側上方からみた概略斜視図。
【発明を実施するための形態】
【００４０】
以下、本発明の梱包対象の一例である室外ユニットについて、図面を参照しつつ、先に説明する。
【００４１】
＜室外ユニット１＞
図１に、室外ユニット１の概略外観斜視図を示す。
【００４２】
室外ユニット１は、ビル用マルチタイプの空気調和装置の室外ユニットであり、略直方体形状をしている。この室外ユニット１のサイズは、左右の幅が１．２０ｍより多少小さい程度、前後の幅が０．８ｍよりも多少小さい程度、高さが１．８０ｍよりも多少小さい程度となっている。
【００４３】
室外ユニット１のケーシングの左側面板７２、右側面板７４は、それぞれ支柱８１、８２、支柱８３、８４と一体に成形されている。側面板７２、７４には、ケーシング内に空気を取り込むための開口７０が設けられている。
【００４４】
室外ユニット１のケーシングの正面板７１、背面板７３は、それぞれ支柱８２、８３、支柱８１、８４の外側に装着される。そして、正面板７１の支柱８２、支柱８３付近の左端部７１ａ、右端部７１ｂは、正面板７１の中央部７１ｃからケーシングの内側に向けて陥没した形状となっている。また、背面板７３の支柱８１、支柱８４付近の左端部７３ａ、右端部７３ｂについても同様に、背面板７３の中央部７３ｃからケーシングの内側に向けて陥没した形状となっている。なお、これらの部位７１ａ、７１ｂ、７１ｃ、部位７３ａ、７３ｂ、７３ｃは、それぞれ正面板７１、背面板７３の上下方向の全体に亘って広がっている。そして、正面板７１、背面板７３の下方には、室外ユニット１をフォークリフトにより搬送する際にフォークリフトのフォークが差込まれるフォーク穴８５が形成されている。
【００４５】
また、室外ユニット１の上端付近のモータ支持台には、室外ファン７９を駆動するモータが据え付けられている。
【００４６】
室外ユニット１のケーシングの天板７５は、その外周縁部が支柱８１〜８４、側面板７２、７４及び背面板７３に固定されている。天板７５には、室外ファン７９の羽根車の周囲に配置される略円筒形状のベルマウス７９ａに対応する円孔が開けられており、この円孔が室外ユニット１の空気吹出口を形成している。そして、天板７５には、この空気吹出口を覆うようにして格子状の軟鋼線のファンカバー（図示せず）が取り付けられている。
【００４７】
＜梱包材１０＞
以下、図面を参照しつつ、本発明の一実施形態に係る梱包材１０及び梱包材１０により上述の室外ユニット１を梱包する梱包方法について説明する。
【００４８】
梱包材１０は、空気調和装置の室外ユニット１を梱包するための梱包材である。室外ユニット１は、出荷時に工場において梱包材１０により梱包されることにより、工場から納品先までの搬送課程においてキズや汚れ等の損傷から保護される。この梱包材１０は、室外ユニット１を包み込むために、組立において、左右の幅が１．２０ｍ程度、前後の幅が０．８ｍ程度、高さが１．８０ｍ程度の大きさとなっている。
【００４９】
梱包材１０の正面側および左側面側を示す外観斜視図を図２に、梱包材１０の背面側および右側面側を示す外観斜視図を図３に、それぞれ示す。
【００５０】
梱包材１０は、室外ユニット１の天面を保護する天ハリ２０と、室外ユニット１の側面の一部と天面を保護するための対をなす前面部材３０および背面部材４０と、室外ユニット１の残りの側面を保護するための対をなす右側面部材５０および左側面部材６０と、室外ユニット１の底面を保護する底面部材８０と、これらを接合させるためのテープ７０と、を備えている。
【００５１】
これらの天ハリ２０、前面部材３０、背面部材４０、右側面部材５０、左側面部材６０および底面部材８０は、全て別体であり、梱包時に相互に組み立てられてテープ７０によって固定される。
【００５２】
〔天ハリ２０〕
天ハリ２０は、図４の概略分解図に示すように、主として、木製の板を組み合わせて構成されており、主として、室外ユニット１のケーシングの天板７５を覆う。
【００５３】
天ハリ２０の下面側は、室外ユニット１のケーシングの天板７５、および、空気吹出口を覆うように設けられている格子状の軟鋼線のファンカバー（図示せず）の鉛直方向の凹凸形状に対応した形状となっている。そして、天ハリ２０の上面側は、長方形の水平面を構成している。これにより、室外ユニット１の天面側を覆うように天ハリ２０を取り付けた状態で、室外ユニット１の天面側を保護しつつ、梱包材１０の天面側を構成している部分に対応した形状とすることができるようになっている。
【００５４】
なお、天ハリ２０は、上面の中心付近において、長手方向に延びるようにして設けられている中心部材２１を有している。この中心部材２１は、梱包状態において、後述する前面部材３０の前面側天面部３１と、背面部材４０の背面側天面部４１と、の接合箇所の鉛直下側に位置することで、接合部分をテープ７０で繋げる作業の作業性向上および梱包安定性を向上させている。
【００５５】
〔前面部材３０および背面部材４０〕
図５に、前面部材３０および背面部材４０の平面展開図を示す。ここで、前面部材３０と背面部材４０とは、同じ材料から同じ型取りで作製される同一の部材であるため、図示を併用させている。
【００５６】
前面部材３０は、ダンボール製の一枚物の部材であり、前面側天面部３１、前面側側面部３２、板状リブ３３、３４、天面リブ３５、３６を有している。
【００５７】
前面側天面部３１は、主として、室外ユニット１の前面側天面を覆うために用いられる。前面側側面部３２は、主として、室外ユニット１の前面側側面を覆うために用いられる。この前面側側面部３２と前面側天面部３１とは、折り曲げ部３０ａを介して一体化して構成されている。折り曲げ部３０ａは、局所的に部材の厚みが細くなっている形状が前面側側面部３２と前面側天面部３１との境界全体にわたって延びるようにして設けられている。このため、前面部材３０は、他の部分が折り曲げてしまうことなく、この折り曲げ部３０ａのみを折り曲げて室外ユニット１を覆うように山折り状態にすることが容易になっている。このように折り曲げ部３０ａでの山折りを行って、前面側天面部３１を室外ユニット１の天面側に載せることで、前面部材３０の室外ユニット１に対する鉛直方向の位置決めを行うことができる。板状リブ３３、３４は、前面側側面部３２の両側端部に沿うようにして設けられており、それぞれ室外ユニット１を覆うように山折りして互いに面する状態にすることで、前面部材３０を安定した形状にすることができる。なお、板状リブ３３、３４には、それぞれ板厚方向に貫通した差し込み開口３３Ｓ、３４Ｓが設けられている。この差し込み開口３３Ｓ、３４Ｓには、各部材を組み合わせて箱体を構成させるために、それぞれ後述する右側面部材５０や左側面部材６０の差し込みリブ５４、５５、６２、６３が挿入される。天面リブ３５、３６は、板状リブ３３、３４が山折りにされた後に、室外ユニット１を覆うように山折りされて、前面部材３０を安定した形状にすることができるとともに、室外ユニット１に対する前面部材３０の左右方向の位置決めを行うことができる。
【００５８】
また、前面部材３０の下部には切り欠きが設けられており、前面部材３０の水平方向両端部近傍におけるコーナー下端３０ｂと、前面部材３０の両コーナー下端３０ｂの間の下端を構成する切り欠き下端３０ｃと、を有している。この切り欠き下端３０ｃは、両コーナー下端３０ｂよりも鉛直方向上方に位置するようになっている。前面部材３０のコーナー下端３０ｂは、室外ユニット１が梱包された状態において、室外ユニット１のケーシングの正面板７１及び左側面板７２の下端と略同じ高さとなる。また、前面部材３０には、この切り欠きが設けられていることで、室外ユニット１が梱包された状態において、室外ユニット１に形成されるフォーク穴８５をフォークリフトのフォークに対して開放する役割を果たしている。
【００５９】
背面部材４０は、ダンボール製の一枚物の部材であり、背面側天面部４１、背面側側面部４２、板状リブ４３、４４、天面リブ４５、４６を有している。板状リブ４３、４４は、それぞれ差し込み開口４３Ｓ、４４Ｓを有している。背面部材４０の下部においても切り欠きが設けられており、背面部材４０の水平方向両端部近傍におけるコーナー下端４０ｂと、背面部材４０の両コーナー下端４０ｂの間の下端を構成する切り欠き下端４０ｃと、を有している。なお、背面部材４０の構成については、上記前面部材３０と同様であり、詳細説明は省略する。この背面部材４０は、背面側側面部４２が、前面部材３０の前面側側面部３２と面対向の位置関係となるようにして室外ユニット１を覆う。
【００６０】
〔右側面部材５０および左側面部材６０〕
図６に、右側面部材５０および左側面部材６０の平面展開図を示す。ここで、右側面部材５０と左側面部材６０とは、同じ材料から同じ型取りで作製される同一の部材であるため、図示を併用させている。
【００６１】
右側面部材５０は、ダンボール製の一枚物の部材であり、右側面部５１、差し込みリブ５２、５３、５４、５５を有している。
【００６２】
右側面部５１は、主として、室外ユニット１の右側面を覆うために用いられる。図６に示すように、平面視において、差し込みリブ５２は右側面部５１の右側端部の上方から延びており、差し込みリブ５３は右側面部５１の右側端部の下方から延びており、差し込みリブ５４は右側面部５１の左側端部の上方から延びており、差し込みリブ５５は右側面部５１の左側端部の下方から延びている。これらの差し込みリブ５２、５３、５４、５５は、いずれも、右側面部５１に対して室外ユニット１を覆うように山折りして、上述した差し込み開口３３Ｓ、３４Ｓ、４３Ｓ、４４Ｓに対して挿入される。
【００６３】
なお、右側面部材５０の下部には切り欠きが設けられており、右側面部材５０の水平方向両端部近傍におけるコーナー下端５０ｂと、右側面部材５０の両コーナー下端５０ｂの間の下端を構成する切り欠き下端５０ｃと、を有している。なお、右側面部材５０は、この切り欠き部分の一部を覆うようにして両コーナー下端５０ｂの内側からさらに内側に延びた支持リブ５８、５９を有している。この支持リブ５８、５９は、室外ユニット１側に向けて山折りにされることで、右側面部材５０自体の直立安定性を向上させつつ、梱包材１０全体としての強度を増強させることができている。
【００６４】
左側面部材６０は、ダンボール製の一枚物の部材であり、左側面部６１、差し込みリブ６２、６３、６４、６５を有している。左側面部材６０の下部においても切り欠きが設けられており、左側面部材６０の水平方向両端部近傍におけるコーナー下端６０ｂと、左側面部材６０の両コーナー下端６０ｂの間の下端を構成する切り欠き下端６０ｃと、この切り欠き部分の一部を覆うようにして両コーナー下端６０ｂの内側からさらに内側に延びた支持リブ６８、６９と、を有している。なお、左側面部材６０の構成については、上記右側面部材５０と同様であり、詳細説明は省略する。この左側面部材６０は、左側面部６１が、右側面部材５０の右側面部５１と面対向の位置関係となるようにして室外ユニット１を覆う。
【００６５】
〔底面部材８０〕
底面部材８０は、主として、井桁状に組まれた合板からなる。
【００６６】
そして、室外ユニット１の梱包時には、この井桁の四隅の交差部分に室外ユニット１の支柱８１〜８４が載置されることになる。これにより、底面部材８０には、室外ユニット１の荷重に耐え得る十分な強度が確保されるようになっている。
【００６７】
＜梱包作業の手順＞
次に、上述の梱包材１０により室外ユニット１を梱包する梱包作業の手順について説明する。この梱包作業は、作業者１人で行うことが可能であるが、複数人で行うことも可能である。
【００６８】
まず、底面部材８０上に室外ユニット１を載置する。このとき、室外ユニット１の支柱８１〜８４が井桁状に組まれた底面部材８０の四隅の交差部分上に立脚するようにする。このとき、室外ユニット１の移動には、フォークリフト等が用いられる。
【００６９】
次に、室外ユニット１のケーシングの天板７５上に天ハリ２０を位置合わせして載置する。なお、このとき、天ハリ２０の中心部材２１は、左右方向に延びた状態となるように向きを合わせて載置される。
【００７０】
次に、前面部材３０を、折り曲げ部３０ａにおいて折り曲げて、前面側天面部３１と前面側側面部３２とが垂直な関係になるようにして、板状リブ３３、３４を折り込んだ後、さらに天面リブ３５、３６を折り込んで、図４に示す姿態の前面部材３０とする。このとき、天面リブ３５、３６の前面側側面部３２近傍の端部の一部は、板状リブ３３、３４の上端近傍部分と板厚方向において重なることになり、外側に天面リブ３５、３６が位置することになる。そして、前面部材３０と同一の部材である背面部材４０に対しても同様の作業を加え、背面部材４０を図４に示す姿態の背面部材４０とする。
【００７１】
次に、室外ユニット１のケーシングの天板７５上に載置された天ハリ２０に対して、前面部材３０を覆い被せるように載せて位置合わせする。具体的には、天ハリ２０の前面側の半分を前面部材３０の前面側天面部３１が鉛直上方から接しつつ覆うように配置することで、前面部材３０は、天ハリ２０に吊り下げられた状態になる。そして、この状態において、前面部材３０の最下端３０ｂは、底面部材８０よりもわずかに上方に位置し、前面部材３０が湿気等の環境条件により膨張した場合にも、前面部材３０の前面側天面部３１が天ハリ２０から浮いてしまうことのないように、かつ、前面部材３０が湿気等の環境条件により膨張した場合にも、前面部材３０の最下端３０ｂが底面部材８０に接触しないように設計されている。
【００７２】
次に、前面部材３０の場合と同様に、室外ユニット１のケーシングの天板７５上に載置された天ハリ２０に対して、背面部材４０を覆い被せるように載せて、前面部材３０の一部と付き合わせることで位置合わせする。ここで、前面部材３０の前面側天面部３１の背面側端部と、背面部材４０の背面側天面部４１の前面側端部と、が互いに付き合わされるように配置され、互いに接するか、もしくは、数ミリ程度の隙間だけが介在するように配置される。
【００７３】
このとき、前面部材３０の前面側天面部３１の背面側端部と、背面部材４０の背面側天面部４１の前面側端部と、の間の境界部分の鉛直下方には、天ハリ２０の中心部材２１が沿うように延びて位置した状態になっている。
【００７４】
次に、右側面部材５０によって、室外ユニット１の右側面を覆う。この際、右側面部材５０の差し込みリブ５２、５３、５４、５５を折り曲げて、図４に示すような姿態にする。そして、差し込みリブ５２を背面部材４０の板状部材４４の上方側に設けられた差し込み開口４４Ｓに、差し込みリブ５３を背面部材４０の板状部材４４の下方側に設けられた差し込み開口４４Ｓに、差し込みリブ５４を前面部材３０の板状部材３３の上方側に設けられた差し込み開口３３Ｓに、差し込みリブ５５を前面部材３０の板状部材３３の下方側に設けられた差し込み開口３３Ｓに、それぞれ挿入することで、右側面部材５０の組立を行う。この際に、前面部材３０および背面部材４０は、いずれも天ハリ２０に対する相対的な位置がすでに定まった状態であるため、この状態で予め差し込みリブ５２、５３、５４、５５の配置に対応させるようにして差し込み開口３３Ｓ、４４Ｓが配置されているため、前面部材３０や背面部材４０を手で支える等の動作を行わなくても、作業者は挿入動作を簡単に行うことができる。この差し込みが終了した状態では、前面右側と背面右側のコーナー部分には、ダンボールが二重に設けられている部分が存在することになり、梱包材１０の強度を増大させることができている。この状態で、右側面部材５０の右側面部５１の上方端部は、前面部材３０の天面リブ３５の下端部および背面部材４０の天面リブ４６の下端部と接するもしくは数ミリ程度の隙間だけが介在する状態となる。
【００７５】
また、左側面部材６０は、室外ユニット１の左側面を覆う。この際、左側面部材６０の差し込みリブ６２、６３、６４、６５を折り曲げて、図４に示すような姿態にする。そして、差し込みリブ６２を前面部材３０の板状部材３４の上方側に設けられた差し込み開口３４Ｓに、差し込みリブ６３を前面部材３０の板状部材３４の下方側に設けられた差し込み開口３４Ｓに、差し込みリブ６４を背面部材４０の板状部材４３の上方側に設けられた差し込み開口４３Ｓに、差し込みリブ６５を背面部材４０の板状部材４３の下方側に設けられた差し込み開口４３Ｓに、それぞれ挿入することで、左側面部材６０の組立を行う。この際に、前面部材３０および背面部材４０は、いずれも天ハリ２０に対する相対的な位置がすでに定まった状態であるため、この状態で予め差し込みリブ６２、６３、６４、６５の配置に対応させるようにして差し込み開口３４Ｓ、４３Ｓが配置されているため、前面部材３０や背面部材４０を手で支える等の動作を行わなくても、作業者は挿入動作を簡単に行うことができる。この差し込みが終了した状態では、前面左側と背面左側のコーナー部分には、ダンボールが二重に設けられている部分が存在することになり、梱包材１０の強度を増大させることができている。この状態で、左側面部材６０の左側面部６１の上方端部は、前面部材３０の天面リブ３６の下端部および背面部材４０の天面リブ４５の下端部と接するもしくは数ミリ程度の隙間だけが介在する状態となる。
【００７６】
最後に、テープ７０を用いて、前面側天面部３１と背面側天面部４１との間、前面側側面部３２と右側面部５１との間、前面側側面部３２と左側面部６１との間、背面側側面部４２と右側面部５１との間、背面側側面部４２と左側面部６１との間、天面リブ３５、４６と右側面部５１の上端部との間、天面リブ３６、４５と左側面部６１の上端部との間、にそれぞれ貼り付けを行って固定する。
【００７７】
この梱包材１０は、このように、テープ７０によって固定するため、従来行われていたタッカー止めやボクサー止め等のステープラを用いた打ち込みを行う必要がない。また、ダンボールとテープによって構成されているため、金属部材が用いられておらず、ステープルの局所的な突出箇所も生じない。
【００７８】
＜特徴＞
（１）
本実施形態では、梱包材１０のうちの前面部材３０と背面部材４０との位置決め作業を、前面側天面部３１や背面側天面部４１を天ハリ２０に載せるだけで容易に行うことができるようになっている。
【００７９】
特に、室外ユニット１等の大型の装置を梱包する場合には、装置の上端近傍の位置まで作業者の手が届きにくい場合があるが、例えば、作業者は、前面部材３０や背面部材４０の下方を掴んで持ち上げ、天ハリ２０に前面側天面部３１や背面側天面部４１を覆い被せるように載せるだけで、容易に前面部材３０と背面部材４０との位置を定めることができるため、作業性を向上させることができている。
【００８０】
（２）
また、このようにして前面部材３０と背面部材４０との位置が定まった状態で、右側面部材５０の取付および左側面部材６０の取付を行うことができるため、右側面部材５０および左側面部材６０の挿入作業をより容易にすることができている。
【００８１】
（３）
前面側天面部３１と背面側天面部４１とをテープ７０によって貼り付けて固定する際に、前面側天面部３１と背面側天面部４１との境界部分のすぐ下には、天ハリ２０の中心部材２１が存在しているため、境界部分近傍のダンボールの形状を崩すことなく、テープ７０を押し付けるようにしてしっかりと貼り付けを行うことができる。
【００８２】
（４）
梱包材１０は、コーナー部分においては一部にダンボール二重構造を採用することで、強度を増大させることができている。
【００８３】
また、他方で、天面リブ３５、４６の下端部と右側面部５１の上端部とを付き合わせるように配置したり、天面リブ３６、４５の下端部と左側面部６１の上端部とを付き合わせるように配置したりすることで、強度が要求されない箇所においてはダンボールの重なり箇所を少なく抑えて、ダンボール使用量を低減させることができている。
【００８４】
＜変形例＞
（１）
上記実施形態では、ビル用マルチタイプの空気調和装置の室外ユニット１を梱包する梱包材１０について例に挙げて説明した。
【００８５】
しかし、本発明はこれに限られるものではなく、例えば、その他の空調に用いられる大型製品および大型部品の全般に適用可能である。
【００８６】
特に、上下ないし左右方向の幅が作業者の手の届く範囲を超えるような梱包部材を扱う場合には、少人数での作業が困難となるため、本発明が特に有用となる。
【００８７】
（２）
上記実施形態では、前面部材３０と背面部材４０とが、同一形状である場合を例に挙げて説明した。
【００８８】
しかし、本発明はこれに限られるものではなく、例えば、図７に示すように、上述した前面部材３０と背面部材４０の代わりに、前面部材３０と背面部材４０とが予め一体化されるようにして構成された前面背面天面一体部材１８０を用いてもよい。
【００８９】
具体的には、前面背面天面一体部材１８０は、室外ユニット１の天面全てを覆う天面部１８１と、天面リブ１８４、１８５を備えている他は、上記前面部材３０と背面部材４０と同様である。
【００９０】
この場合には、部品が多少大型化してしまうものの、部品点数をさらに削減でき、梱包作業の工数を減らせることができる。
【００９１】
（３）
さらに、例えば、図８に示すように、上述した前面部材３０と背面部材４０の代わりに、前面部材３０と背面部材４０のいずれか一方のみが天面部を有するようにして構成された背面天面一体部材１９０と前面部材１３０とを用いてもよい。
【００９２】
具体的には、背面天面一体部材１９０は、室外ユニット１の天面全てを覆う天面部１９１と、天面リブ１９４、１９５を備えている他は、上記背面部材４０と同様である。また、前面部材１３０は、前面側天面部３１を有していない他は、上記前面部材３０と同様である。
【００９３】
この場合であっても、背面天面一体部材１９０を室外ユニット１に対して相対位置を定めるように配置することで、上記実施形態同様に、梱包作業を効率化させることができる。
【００９４】
（４）
上記実施形態では、前面部材３０、背面部材４０、右側面部材５０および左側面部材６０がダンボールによって形成された場合を例に挙げて説明している。しかし、本発明はこのようなダンボールに限定されるものではなく、その他の材料が使用されてもよい。
【００９５】
（５）
上記実施形態では、梱包材１０の組立が終わった段階で、最後にテープ７０を貼り付けて固定する場合を例に挙げて説明した。
【００９６】
しかし、本発明はこれに限られるものではなく、例えば、前面部材３０と背面部材４０とを付き合わせて位置決めさせた段階で、前面部材３０の前面側天面部３１の背面側端部と、背面部材４０の背面側天面部４１の前面側端部と、をテープ７０によって貼り付けて固定してもよい。これにより、その後の右側面部材５０および左側面部材６０の挿入先の位置が安定し、挿入作業をより容易に行うことができるようになる。
【００９７】
（６）
上記実施形態では、前面部材３０を背面部材４０よりも先に、右側面部材５０を左側面部材６０よりも先に、それぞれ用いる場合について例に挙げて説明した。
【００９８】
しかし、本発明はこれに限られるものではなく、例えば、前面部材３０よりも先に背面部材４０の位置決めを行ってもよく、右側面部材５０よりも先に左側面部材６０の位置決めを行うようにしてもよい。
【産業上の利用可能性】
【００９９】
本発明の流体処理装置は、空調用設備を梱包する作業負担を軽減させることが可能なため、特に、空調用室外機や室内機などの梱包部材もしくは梱包方法として用いた場合に有用である。
【符号の説明】
【０１００】
１  室外ユニット（空調用設備）
１０  梱包材（梱包部材）
２０  天ハリ（天面介在部材）
３０  前面部材（天面側面一体部材、第１天面側面一体部材）
３０ａ  折り曲げ部（折り曲がりやすい形状部分）
３１  前面側天面部（天面部、第１天面部）
３２  前面側側面部（第１側面部）
３３  板状リブ
３３Ｓ  差し込み開口
３４  板状リブ
３４Ｓ  差し込み開口
３５、３６  天面リブ
４０  背面部材（天面側面一体部材、第２天面側面一体部材）
４０ａ  折り曲げ部（折り曲がりやすい形状部分）
４１  背面側天面部（天面部、第２天面部）
４２  背面側側面部（第２側面部）
４３  板状リブ
４３Ｓ  差し込み開口
４４  板状リブ
４４Ｓ  差し込み開口
４５、４６  天面リブ
５０  右側面部材（側面部材、第１側面部材）
５２、５３、５４、５５  差し込みリブ
６０  左側面部材（側面部材、第２側面部材）
６２、６３、６４、６５  差し込みリブ
７０  テープ
【先行技術文献】
【特許文献】
【０１０１】
【特許文献１】特開２００５−９６８０３号公報
【特許文献２】特開２００７−２４６１１８号公報
【図１】
2011031897.tif 000003
【図２】
2011031897.tif 000004
【図３】
2011031897.tif 000005
【図４】
2011031897.tif 000006
【図５】
2011031897.tif 000007
【図６】
2011031897.tif 000008
【図７】
2011031897.tif 000009
【図８】
2011031897.tif 000010